(57)【要約】【課題】光源での消費電力を抑え、光源から発生する光を照明領域に効率的に出射させ、且つ小型化及び製造コストの低下が可能な導光体、ライン照明装置及び画像入力装置を提供する。【解決手段】導光体１０と、基板２に光源が設けられた光源モジュール１とを具備するライン照明装置１００であって、導光体１０は、光源を取り付け可能な基板１５、この基板１５が端面に設けられた棒状部１１とを備え、棒状部１１は、その長手方向に沿って設けられる光射出面１４と、棒状部１１内を伝搬する光を長手方向に対して略垂直をなす方向に散乱させる散乱マーク１２と、この散乱マーク１２により散乱された光を棒状部１１内で反射させ光射出面１４に導くための曲面状の反射面１３、光源を固定する為の光源取付部１６ａ、１６ｂ、光源を収容する為の光源収容凹部１８及び漏れ光防止部１７を備える。【選択図】　　　図１
2004064146.tif 000002
【特許請求の範囲】
【請求項１】
光源を取り付け可能な基板と、
この基板が端面に設けられた棒状部とを備え、
前記棒状部は、その長手方向に沿って設けられる光射出面と、該棒状部内を伝搬する光を前記長手方向に対して略垂直をなす方向に散乱させる散乱マークと、この散乱マークにより散乱された光を前記棒状部内で反射させ前記光射出面に導くための曲面状の反射面とを具備することを特徴とする導光体。
【請求項２】
前記基板の表面に漏れ光を制限するための漏れ光防止部が設けられたことを特徴とする請求項１に記載の導光体。
【請求項３】
前記光射出面は、前記散乱マークにより散乱された光が前記棒状部の外側の照明領域に照射されるよう形成された凹面であることを特徴とする請求項１又は２のいずれか１項に記載の導光体。
【請求項４】
光源を備えた光源モジュールと、
この光源モジュールが取り付けられた導光体とを備え、
前記導光体は、
前記光源モジュールを取り付ける基板と、
この基板が端面に設けられた棒状部とを備え、
前記棒状部は、その長手方向に沿って設けられる光射出面と、該棒状部内を伝搬する光を前記長手方向に対して略垂直をなす方向に散乱させる散乱マークと、この散乱マークにより散乱された光を前記棒状部内で反射させ前記光射出面に導くための曲面状の反射面とを具備することを特徴とするライン照明装置。
【請求項５】
前記光源モジュールと前記導光体が接合する位置周辺に漏れ光を制限する漏れ光防止部が設置されることを特徴とする請求項４に記載のライン照明装置。
【請求項６】
前記光射出面は、前記散乱マークにより散乱された光が前記棒状部の外側の照明領域に照射されるよう形成された凹面であることを特徴とする請求項４又は５のいずれか１項に記載のライン照明装置。
【請求項７】
光源を備えた光源モジュールと、
光源モジュールが取り付けられた導光体と
この導光体から射出した光により照明された照明領域からの光を結像するための結像光学部と、
この結像光学部により結像された光を読み取るためのイメージセンサ
とを備え、
前記導光体は、
前記光源モジュールを取り付け可能な基板と、
この基板が端面に設けられた棒状部とを備え、
前記棒状部は、その長手方向に沿って設けられる光射出面と、該棒状部内を伝搬する光を前記長手方向に対して略垂直をなす方向に散乱させる散乱マークと、この散乱マークにより散乱された光を前記棒状部内で反射させ前記光射出面に導くための曲面状の反射面とを具備することを特徴とする画像入力装置。
【請求項８】
前記光源モジュールと前記導光体が接合する位置周辺に漏れ光を制限する漏れ光防止部が設置されることを特徴とする請求項７に記載の画像入力装置。
【請求項９】
前記光射出面は、前記散乱マークにより散乱された光が前記棒状部の外側の照明領域に照射されるよう形成された凹面であることを特徴とする請求項７又は８のいずれか１項に記載の画像入力装置。
【発明の詳細な説明】
【０００１】
【発明の属する技術分野】
本発明は、ファクシミリやコピー機、ハンドスキャナ、光学的文字読み取り装置（ＯＣＲ）等に用いられる導光体およびライン照明装置、並びにこれらを用いた画像入力装置に関する。
【０００２】
【従来の技術】
従来から、例えば撮像素子で画像データを得る際には、対象物を照明するためのライン照明装置が用いられている。ライン照明装置は、光源と導光体から構成されており、光源からの光を効率的に、対象物に照射することが求められている。
【０００３】
この種のライン照明装置に用いられる導光体の例として、特開平８−１６３３２０号公報に開示されたものがある。ライン照明装置の原理的な動作を図８を用いて説明すると、導光体１０１は透明樹脂で作成されたもので、その端面には光源である発光ダイオード（ＬＥＤ）１０３が取り付けられている。カラーイメージスキャナなどの用途の場合には、ＬＥＤ１０３から射出した光は、導光体内部の壁面に反射しながら伝搬し、もう一方の端面に向かう。
【０００４】
伝搬する光は、散乱マーク１０２により散乱され、光射出面１０４から外部に放出される。この導光体の外側には、図９に示すように、反射カバー１０５が設置されている。散乱マーク１０２で散乱した光は、導光体１０１の外へ放出されても、光射出面１０４に当たった場合は再度導光体の中へ導かれる。導光体１０１の照明領域１０６に近い一部は光射出面１０４として、光を外部に出力するようになっている。この光射出面１０４から射出された光は、ガラス板１０７を介して照明領域１０６を照明する。
【０００５】
また、この例では、散乱マーク１０２により光の一部が導光体１０１の光射出面１０４から外に放出されると、光の強度は光源から遠ざかるにしたがって次第に減衰する。そこで、光源から遠ざかるにしたがって、光の取り出し効率を向上させて行くために、散乱マーク１０２の密度を増加させたり、マークの幅を増加させるなどして、照明領域１０６における照度を均一にすることも行われていた。
【０００６】
【発明が解決しようとする課題】
しかしながら、従来の技術では、散乱マークで散乱した光が反射カバーで更に繰り返し反射し、散乱するため、導光体から射出される光は様々な方向に伝搬する成分を持っている。そのため、照射領域から離れた領域まで照明してしまう不要な光を十分抑制することが困難であった。従って、光源で発生する光を効率よく利用することが難しく、光源で消費する電力を大きくすることなく十分な照度の照明を実現することが難しいと言う問題があった。又、反射カバー１０５を設置するための、スペース及びコストも必要であった。
【０００７】
本発明の目的は、光源での消費電力を抑え、光源から発生する光を照明領域に効率的に射出させ、且つ小型化及び製造コストの低下が可能な導光体、ライン照明装置及び画像入力装置を提供することにある。
【０００８】
【課題を解決するための手段】
上記課題を解決するため、本発明の第１の特徴は、（イ）光源を取り付け可能な基板と、（ロ）この基板が端面に設けられた棒状部とを備え、（ハ）棒状部は、その長手方向に沿って設けられる光射出面と、棒状部内を伝搬する光を前記長手方向に対して略垂直をなす方向に散乱させる散乱マークと、（ニ）この散乱マークにより散乱された光を前記棒状部内で反射させ前記光射出面に導くための曲面状の反射面とを具備する導光体であることを要旨とする。更に本発明の第１の特徴は（ホ）基板の表面に漏れ光を制限するための漏れ光防止部が設けられ、（ヘ）光射出面は、散乱マークにより散乱された光が棒状部の外側の照明領域に照射されるよう形成された凹面であることを加えても良い。
【０００９】
本発明の第２の特徴は、（イ）光源を備えた光源モジュールと、（ロ）この光源モジュールが取り付けられた導光体とを備え、（ハ）導光体は、光源モジュールを取り付ける基板と、（ニ）この基板が端面に設けられた棒状部とを備え、（ホ）棒状部は、その長手方向に沿って設けられる光射出面と、棒状部内を伝搬する光を前記長手方向に対して略垂直をなす方向に散乱させる散乱マークと、（ヘ）この散乱マークにより散乱された光を前記棒状部内で反射させ前記光射出面に導くための曲面状の反射面とを具備するライン照明装置であることを要旨とする。更に本発明の第２の特徴は（ト）光源モジュールと導光体が接合する位置周辺に漏れ光を制限する漏れ光防止部が設置され、（チ）光射出面は、散乱マークにより散乱された光が棒状部の外側の照明領域に照射されるよう形成された凹面であることを加えても良い。
【００１０】
本発明の第３の特徴は、（イ）光源を備えた光源モジュールと、（ロ）光源モジュールが取り付けられた導光体と、（ハ）この導光体から射出した光により照明された照明領域からの光を結像するための結像光学部と、（ニ）この結像光学部により結像された光を読み取るためのイメージセンサとを備え、（ホ）前記導光体は、前記光源モジュールを取り付け可能な基板と、（ヘ）この基板が端面に設けられた棒状部とを備え、（ト）棒状部は、その長手方向に沿って設けられる光射出面と、棒状部内を伝搬する光を長手方向に対して略垂直をなす方向に散乱させる散乱マークと、（チ）この散乱マークにより散乱された光を棒状部内で反射させ光射出面に導くための曲面状の反射面とを具備する画像入力装置であることを要旨とする。更に、本発明の第３の特徴は、（リ）光源モジュールと導光体が接合する位置周辺に漏れ光を制限する漏れ光防止部が設置され、（ヌ）光射出面は、散乱マークにより散乱された光が棒状部の外側の照明領域に照射されるよう形成された凹面であることを加えても良い。
【００１１】
【発明の実施の形態】
以下に本発明に係る第１及び第２の実施の形態を図面に基づいて説明する。第１の実施の形態ではライン照明装置、第２の実施の形態では画像入力装置について説明する。尚、本発明は以下の実施の形態にとらわれず、その趣旨を脱しない範囲で種々変更して実施できることは勿論である。又、図面の記載において、同一又は類似の部分には同一又は類似の符号を付している。ただし、図面は模式的なものであり、厚みと平面寸法との関係及び比率等は現実のものとは異なることに留意すべきである。従って、具体的な厚みや寸法は以下の説明を参酌して判断すべきものである。また、図面相互間においても互いの寸法の関係や比率が異なる部分が含まれていることはもちろんである。
【００１２】
（第１の実施の形態）
（ライン照明装置）
本発明の第１の実施の形態に係るライン照明装置１００は、図１に示すように、導光体１０と、基板２に光源が設けられた光源モジュール１とを具備する。導光体１０は、光源を取り付け可能な基板１５、この基板１５が端面に設けられた棒状部１１とを備え、棒状部１１は、その長手方向に沿って設けられる光射出面１４と、棒状部１１内を伝搬する光を長手方向に対して略垂直をなす方向に散乱させる散乱マーク１２と、この散乱マーク１２により散乱された光を棒状部１１内で反射させ光射出面１４に導くための曲面状の反射面１３、光源を固定する為の光源取付部１６ａ、１６ｂ、光源を収容する為の光源収容凹部１８及び漏れ光防止部１７を備える。
【００１３】
棒状部１１は、導光材料で棒状に形成された導光体１０の主要構成部である。導光体１０の材質は、例えば透明なアクリルやポリカーボネート、または透明な光学ガラスにより形成される。
【００１４】
散乱マーク１２は、図１では、導光体１０に三角形柱状の斬り込みを入れ、光を反射させるプリズムを形成することにより構成され、棒状部１１内を伝搬する光を導光体１０の長手方向と略垂直方向に散乱させる。又、散乱マーク１２とする位置の表面を拡散性の粗面とするような微妙な起伏を形成してもよく、あるいは所定形状の起伏を形成して、反射面を構成し、全反射条件で伝搬してきた光線を所定方向へ反射、屈折等させる作用を利用しても良い。この他、散乱マーク１２の具体例としては、導光体１０の所定位置に塗布された白色塗料、拡散材入りの塗料、拡散性の表面を有する金属、紙、樹脂、その他の小片の部材を、透明接着剤を介して貼り付けしたもの等多様な構成手段があり、性能のほか、製造性やコスト等の観点も含めて用途に応じて適したものを選択する。また、散乱マーク１２は導光体１０表面の所定領域の形状を変化させたものでもよい。
【００１５】
反射面１３は、散乱マーク１２により散乱された光を棒状部１１内で反射させる。又、反射面１３は曲線形状を有している。この曲線形状は、稜線位置に形成された散乱マーク１２から出た光が、反射し、光射出面１４および原稿を配置するガラス板の表面で屈折した後、正しく原稿を読み取る位置を照射するように設計されている。反射面１３の具体的形状は、後述するガラス板の厚さや屈折率、装置のサイズ等に応じて柔軟に設計することが望ましい。光射出面１４は、反射面１３で反射した光を棒状部１１外部へ射出させる。又、光射出面１４は、散乱マーク１２により散乱された光が棒状部１１外部の所定領域に照射されるよう形成された凹面に形成される。具体的に、光射出面１４には凹面シリンドリカルレンズ等を使用する。
【００１６】
基板１５は、図２に示すように、棒状部１１と一体に構成され、導光体１０と光源モジュール１とを接続するためのコネクタの働きをする。尚、基板１５と棒状部１１は分離が可能でも不可能でも良い。光源取付部１６ａ、１６ｂは、基板１５と一体に構成された、光源モジュール１を接合する為の部材である。接合についての詳細は後述する。
【００１７】
漏れ光防止部１７は、図１に示すように、光入射面とは反対側の面、つまり基板１５の棒状部１１側の面に形成する。漏れ光防止部１７を形成する領域は、基板１５の光入射面側の一部若しくは基板１５全体を覆うように形成しても良い。光源モジュール１側の一部に形成しても良い。つまり、発光素子３が光源収容凹部１８の各面に対して照射する際の漏れ光が防止可能な領域であれば良い。漏れ光防止部１７の形成方法として、図１では、斜線部の部分に不透明な塗料を塗布している。この他の形成方法として、不透明な部材で覆う、金属を蒸着する、表面を粗面化加工する、表面を鋸歯状に加工する等が考えられる。これら領域及び形成方法の選択は、製造コストと必要な性能の兼ね合いで決定されるものとする。光源収容凹部１８は、棒状部１１の長手方向の少なくとも一方の端面に形成される、光源を収容する為の凹部である。発光素子３に接合すると、光源収容凹部１８の各面からは、導光体１０内部へ対して光が入射される。図１及び図２では、光源収容凹部１８は四角形状に形成されているが、これは円柱状等の他の形状でも良い。形状は光の入射の性質に適切なものを選択するものとする。
【００１８】
光源モジュール１は、図１及び図２に示すように、基板２、発光素子３、差込穴４ａ、４ｂ及び光源モジュール突起部５を備えている。
【００１９】
基板２は、発光素子３を取り付けるための板状の部材等である。基板２はアクリル等で形成されることが望ましいが、材質は特に問わない。発光素子３はＬＥＤ等から構成される。カラーイメージスキャナ等の用途の場合には、３色の光による照明が必要なため、赤、緑、青の発光波長を持つ３個または必要に応じてより多数の光源が取り付けられる。発光素子３は、光源収容凹部１８に密着して収容されるように取り付けられる。光源モジュール突起部５は、発光素子３を保護する為の透明な膜であり、アクリル等の材料より形成される。
【００２０】
差込穴４ａ、４ｂは、光源取付部１６ａ、１６ｂと接合（嵌合）するための穴である。光源モジュール１及び導光体１０を接合するには、図２に示すように、差込穴４ａ及び４ｂと、光源取付部１６ａ、１６ｂが嵌合するように互いを配置し、且つ光源モジュール突起部５と光源収容凹部１８が嵌合するように互いを配置する。尚、図２においては、差込穴４ａ、４ｂが凹型、光源取付部１６ａ、１６ｂが凸型と形成されているが、この構成は逆であっても構わない。この差込穴４ａ、４ｂは貫通穴でも、所定の深さの底付き穴でも良い。又、基板２と基板１５の対向する面を接着する等の嵌合以外の手段によって光源モジュール１と導光体１０を接合しても構わない。又、基板１５の形状は、棒状部１１の断面積より多少広い面積をもつような板状にすると良く、ライン照明装置１００の利用できるスペースや、光源モジュール１の形状によって最適なものを選択するとよい。また、発光素子３より発した光が、光源収容凹部１８より、棒状部１１により多く入射するように、基板１５の板厚はできるだけ薄くすることが好ましい。このような嵌合を目的とした突起物と差込み穴の形状および数量は、基板２及び基板１５の形状や、ライン照明装置１００が設置されるスペースによって適したものを選択すればよく、上述の固定手段は、いずれか一つを用いても、全てを併用しても良い。
【００２１】
（ライン照明装置による光の伝搬の動作）
以下に、ライン照明装置１００による光の伝搬の動作について説明する。
【００２２】
（ａ）先ず、発光素子３から射出した光は、光源収容凹部１８の各面から導光体１０内部に入射される。
【００２３】
（ｂ）導光体１０内部に入射された光の多くは、棒状部１１内部を壁面の反射面１３に反射しながら伝搬され、もう一方の導光体１０端面に向かう。この時、導光体１０の内面の反射面１３による反射で、全反射条件を満足する光は減衰することなく伝搬される。又、漏れ光防止部１７は、入射された光が、棒状部１１に入射せずに、光源収容凹部１８の光入射面以外から射出されることを防止する。
【００２４】
（ｃ）伝搬される光は、導光体１０の長手方向に反射を繰り返す。伝搬の途中で、稜線部分に形成された散乱マーク１２に光が当たると、殆どの光は臨界角以上の入射角となるため全反射され、反射面１３において、光の損失は抑制される。反射した光は光射出面１４を通って導光体１０外部へ射出される。
【００２５】
（ｄ）射出された光は、光射出面１４の凹面による屈折作用により偏向され、光はガラス板１２１（後述する）に斜めに入射する。そしてガラス板１２１表面でも屈折により進行方向が偏向され、照明領域を照明する。
【００２６】
以下、各工程について詳述する。（ｂ）の工程に記載の様に漏れ光防止部１７は、光入射面以外の面からの光射出を防ぐ。ここで、光入射面とは、光源モジュール１の発光素子３が接続される基板１５上の面、即ち光源収容凹部１８の底面を意味する。
【００２７】
光入射面から基板１５へと入射した光は、すべて棒状部１１へと導光されるのが望ましいが、実際には基板１５の光入射面以外の面から外部へ射出する漏れ光が存在し、その漏れ光の中には照明領域に到達してしまう光が存在する。その結果、漏れ光が照明領域の発光部近傍部分の照度を、過度に大きくしてしまうことになる。そこで、漏れ光防止部１７では、基板１５からの漏れ光を遮蔽し、導光体１０内部へ適切な光入射を行うことにより、過度に照明領域１０６を照射する不要な光を除去することが出来る。
【００２８】
図６は漏れ光防止部１７を設けた場合と設けない場合の主走査方向の照度分布グラフを示している。この照度分布グラフは、漏れ光防止部１７を設けない場合、光源の発光面位置近傍で一時的な高照度の漏れ光が発生し、漏れ光防止部１７を設けた場合の方は、照度に関わらず、比較的均一な照度分布を保っていることを証明している。
【００２９】
次に、（ｃ）の工程に記載の、光を反射させる散乱マーク１２を使用して、照度を均一にする為の具体的方法としては、散乱マーク１２の密度を増加させる方法がある。この他、導光体１０に突起やくぼみを形成する散乱マーク１２の場合には、その大きさや深さを変化させる方法等を用い、粗面を形成する散乱マーク１２の場合は、その表面の粗さを変化させる方法等を用いる。
【００３０】
（ｄ）の工程において、光射出面１４を通って導光体１０外部へ射出された光は、図３に示すように、光射出面１４の屈折作用により偏向され、ガラス板１２１に斜めに入射する。更にガラス板１２１表面でも屈折により進行方向が偏向される。このガラス板１２１は原稿を読み取り部２０の読み取り可能な領域に配置する為の板である。ガラス板１２１は透明板であればよく、材質はガラスに限らず、アクリル、ポリカーボネートその他の樹脂であってもかまわない。その際は傷に弱くなるため、保護コーティング等の表面処理することが望ましい。また、ガラス、樹脂のいずれの場合も、光の反射による損失を抑制するために、反射防止膜のコーティング等を施すのも可能である。これらの材料や処理の選択は、装置の用途や価格等に応じて装置毎に決定する。又、ガラス板１２１を介して原稿を読み取る場合、外界から光学系を隔離することが可能になるため、外界から進入する埃等のダストにより装置が劣化するのを防止することができる。
【００３１】
以下、（ｂ）の工程において用いる反射面１３の設計方法を、従来例と比較して説明する。従来の反射面１３においては、図３に示すように、平面状の平面状仮想光射出面１２５および点状の点状仮想散乱マーク１２６を仮定し、点状仮想散乱マーク１２６から出た光が反射面１３で反射し、平面状仮想光射出面１２５と、ガラス板１２１の２つの屈折面を経た後、読み取り位置１２４の１点に集束するように形状を決めていた。しかしながらこのような形状の厳密解を解析的に求めることは、一般には困難なことである。このため第１の実施の形態においては、光線追跡シミュレーション法等の近似解法による設計が用いられる。この方法では、通常、反射面１３の曲面形状を、いくつかの未知パラメータを含む数式で記述しておき、いくつかのサンプル光線に対して、光路が所望のものに近づくように最適化の処方にしたがって設計パラメータを決定していく。最適化方法としては、最小二乗法、勾配法、あるいは遺伝的アルゴリズム等、種々の方法が考えられる。以下、反射面１３の設計計算の実施例を示す。
【００３２】
（実施例）
先ず、装置設計のプロセスにおいて、ガラス板１２１の材料と厚さ、導光体１０の材料と光射出面１４の位置が先に決まる場合を想定し、光路を逆向きに追うモデルを用い、最小二乗法に基づく最適化計算で曲面を決定する。図４の装置において、原稿の読み取り部１２４は、照明角度約２５度〜６３度の範囲で照明するものとし、この間の照明角度となる光線４１本をサンプル光線として、この光線を逆向きに追跡し、二度の屈折と、一度の反射の後の光線が点状仮想散乱マーク１２６に最近接するように最適化計算を行った。具体的には、逆向きの光線追跡した場合の、反射後の各光線から点状仮想散乱マーク１２６までの二乗和が最小になるように非線形最小二乗法の処方にしたがって曲面を定めた。曲面形状は、図４のようにガラス面に対して４５度傾いて設定された平面状仮想光射出面１２５にそってＸ軸を想定し、それと垂直な方向にＺ軸を設置した。曲線を表す式を、次に示す式（１）とした。
【００３３】
Ｘ＝Ｃ（１）Ｚ＋Ｃ（２）Ｚ２＋Ｃ（３）Ｚ３＋Ｃ（４）Ｚ４＋Ｃ（５）Ｚ５＋Ｃ（６）Ｚ６＋Ｃ（７）Ｚ７＋Ｃ（８）Ｚ８＋Ｃ（９）Ｚ９＋Ｃ（１０）Ｚ１０＋Ｃ（１１）Ｚ１１＋Ｃ（１２）Ｚ１２・・・・・（１）
係数Ｃ（１）、Ｃ（２）、…、Ｃ（１２）は曲線を特定する未知のパラメータであり、本実施例では、以下に示す値となった。ただし、Ｅは十のべき乗を表す。
【００３４】
【表１】
2004064146.tif 000003
以上の計算結果を基に、光射出面１４を凹面シリンドリカルレンズとして形成すると、図３のように、長手方向から見た場合の断面図では、光射出面１４の形成する曲線は、ある円がなす円弧の一辺となる。この円の半径Ｒは、特定の設計方法に限定されるものではなく、導光体１０の屈折率、反射面１３の形状、ガラス板１２１の厚さや屈折率、装置のサイズ、または照度均一性が必要とされる領域（以下、照度均一領域と記載）に幅等に応じて柔軟に決定される。照度均一領域とは、図５に示すように、照度分布をＸ軸が照度の高低、Ｙ軸が副走査方向とした分布表で表した場合、折れ線グラフが平らになる領域の幅である。照度均一領域が小さく、折れ線グラフの頂点が尖っていると、図４に示すように、読み取り部１２４のライン光が集束されていることを示す。集束度が高いと、画像読み取りの際に、陰影のバランスがくずれ、画像を正確に読み取ることが出来なくなる。又、照度均一領域が過度に大きく、折れ線グラフの頂点の平ら部分が長すぎると、ライン光が広域に散乱されていることを示し、画像読み取りの際に、光度が不足し、画像全体が暗くなってしまう。発明者らの知見及びシミュレーションによる実験の結果によると、図３に示した構成と上述の反射面１３の形状に対して、照度均一性を保つために副走査方向には約１．５ｍｍの幅の照度均一領域が最適であった。又、光射出面１４の半径Ｒを変化させて照度計算シミュレーションを行うことにより、最適な半径Ｒの値を求めると、最適な半径Ｒの値は、約１．６ｍｍ〜２．２ｍｍであり、好ましくは約２．０ｍｍであった。
【００３５】
このように、第１の実施の形態によるライン照明装置１００によると、光射出面１４を凹面に形成することにより、主走査方向のみならず、副走査方向にも照度均一性を持たせることが可能となり、副走査方向に対して、同じ性能を発揮する読み取り部２０を、広く取り、更に、導光体１０１から射出される光が照明領域以外の領域まで照明することを防ぐことが出来る。
【００３６】
発光素子３より発した光が、光源収容凹部１８より、棒状部１１に直接入射する為、発光素子３の消費電力を押さえることが出来る。
【００３７】
従来の反射カバー１０５を省いて、漏れ光防止部１７を設けたことにより、より小型のライン照明装置１００を製造できる。更に、反射カバー１０５を省くことにより、部材のコストを下げることも出来、簡易な構成で高効率であり、且つ安価なライン照明装置１００を提供することが可能となる。
【００３８】
（第２の実施の形態）
（画像入力装置）
次に、本発明の第２の実施の形態に係る画像入力装置２００について説明する。画像入力装置２００は、図７に示すように、照射された照明領域からの光を結合するためのロッドレンズ１２２及びＣＣＤリニアイメージセンサ１２３と、原稿を配置するためのガラス板１２１を備えている。ロッドレンズ１２２は、光源からの光を短距離で効率良く集光する円柱状のレンズであり、公知のものを使用する。このロッドレンズ１２２はレンズの両側に反射板を備えており、光源として、色違いのＬＥＤ等を用いる。ＬＥＤ等の発光色は変化させることが出来る。又、短焦点の密着イメージセンサ等と組み合わせて薄型で長寿命の画像入力装置を形成できる。第２の実施の形態ではイメージセンサに公知のＣＣＤリニアイメージセンサ１２３を使用する。ＣＣＤリニアイメージセンサ１２３は、ＣＣＤ（電荷転送デバイス）に対し、光から電荷を生成するフォトダイオードを一次元配列したものを用いる。
【００３９】
図７に示すように、原稿の読み取り部２０の位置は、ガラス板１２１を介してロッドレンズ１２２で結像され、ＣＣＤリニアイメージセンサ１２３でラインデータとして読み取られる。
【００４０】
原稿の読み取り部２０を照明する画像入力装置２００のライン照明用光学系装置及びその周辺装置は、図７に示すように、導光体を構成する棒状部１１及び基板１５と、基板１５に備えられた光源取付部１６ａ、１６ｂ、漏れ光防止部１７、光源収容凹部１８及び光源収容凹部１８に接合された発光素子３とからなる。尚、図示しないが、発光素子３は、図１に示すような光源モジュール１に取り付けられており、この光源モジュール１の基板２に設けられた差込穴４ａ、４ｂと、光源取付部１６ａ、１６ｂを嵌合し、発光素子３が光源収容凹部１８に接合されている。又、接合の方法は嵌合に限らず、発光素子３と光源収容凹部１８が固定できる接合方法であれば良い。尚、これらのライン照明用光学系装置及びその周辺装置については第１の実施の形態と同様のものを使用するため説明を割愛する。尚、上記のロッドレンズ１２２、ＣＣＤリニアイメージセンサ１２３、ライン照明用光学系装置及びその周辺装置は一体化されてイメージセンサモジュールを構成する。
【００４１】
このイメージセンサモジュールは、例えば図７のように、照明領域の正面に投影光学系を構成してロッドレンズアレイ等の正立等倍結像素子を利用すれば、原稿に近い位置にＣＣＤリニアイメージセンサ等の撮像素子を設置して結像することが可能であり、発光素子３、導光体１０、レンズアレイ、ラインセンサ素子を一体化した小型の画像入力装置を構成することが出来る。
【００４２】
なお、上記のように構成される画像入力装置２００は、画像の１ラインを入力するライン画像入力装置である。したがって、２次元の画像全体を入力するためには、原稿とライン画像入力装置の相対位置を変化させる走査機構等も含めた装置を構成する必要がある。これには、走査機構として、画像入力装置を固定して、原稿を自動的に移動させる方法、または原稿を固定して画像入力装置を自動的に移動させる方法、あるいは手軽な装置とするためには走査は人力を動力として用いる形で、手動で行い、操作機構はその移動距離を検知する機能を負うといった方法も考えられる。このように、画像入力装置２００としては、２次元画像入力装置、およびその部分装置としての画像入力装置２００等の形態があるが、本発明はこれらいずれの方式も含むものである。
【００４３】
又、副走査方向への移動は、照明装置が移動するように設定すること、逆に、照明装置が固定されて原稿等の媒体が移動し、媒体上の画像を読み取ることが可能である。
【００４４】
尚、ＣＣＤリニアイメージセンサ１２３以外のＣＣＤを用いた装置や、その他ＭＯＳフォトセンサを用いた装置等を使用しても良い。
【００４５】
上記によると、導光体１０と光源モジュール１を、従来使用されてきた反射カバー１０５を用いずに固定する為、ライン照明用工学系装置を組み立てる部品点数がへり、製造工程を減らすことができる。
【００４６】
発光素子３より発した光が、光源収容凹部１８より、棒状部１１に直接入射する為、発光素子３の消費電力を押さえることが出来る。
【００４７】
又、スペースを無駄なく使用し、小型のライン照明用工学系装置を製造できるので、これにより画像入力装置２００を小型軽量化することができ、携帯性の優れた画像入力装置２００を製造することが可能となる。
【００４８】
【発明の効果】
本発明の導光体によれば、光源での消費電力を抑え、光源から発生する光を照明領域に効率的に射出させ、且つ小型化及び製造コストの低下が可能な導光体、ライン照明装置及び画像入力装置を提供することができる。
【図面の簡単な説明】
【図１】本発明の第１の実施の形態に係るライン照明装置の斜視図。
【図２】本発明の第１の実施の形態に係るライン照明装置の導光体と光源モジュールを固定部位を示す断面図。
【図３】本発明の第１の実施の形態に係るライン照明装置の長手方向から見た断面図。
【図４】従来のライン照明装置の長手方向から見た断面図。
【図５】実施例に係る照明装置による副走査方向の照度分布を示す図。
【図６】漏れ光防止部を設けた場合と設けない場合の主走査方向の照度分布の比較を示すグラフ図。
【図７】本発明の第２の実施の形態に係る画像入力装置の長手方向から見た断面図。
【図８】従来のライン照明装置の斜視図
【図９】従来のライン照明装置の長手方向から見た場合の断面図
【符号の説明】
１…光源モジュール
２…基板
３…発光素子
４ａ、４ｂ…差込穴
５…光源モジュール突起部
１０…導光体
１１…棒状部
１２…散乱マーク
１３…反射面
１４…光射出面
１５…基板
１６ａ、１６ｂ…光源取付部
１７…光防止部
１８…光源収容凹部
２０…読み取り部
１００…ライン照明装置
１０１…導光体
１０２…散乱マーク
１０３…ＬＥＤ
１０４…光射出面
１０５…反射カバー
１０６…照明領域
１０７…ガラス板
１２１…ガラス板
１２２…ロッドレンズ
１２３…ＣＣＤリニアイメージセンサ
１２４…読み取り部
１２５…平面状仮想光射出面
１２６…点状仮想散乱マーク
２００…画像入力装置
【図１】
2004064146.tif 000004
【図２】
2004064146.tif 000005
【図３】
2004064146.tif 000006
【図４】
2004064146.tif 000007
【図５】
2004064146.tif 000008
【図６】
2004064146.tif 000009
【図７】
2004064146.tif 000010
【図８】
2004064146.tif 000011
【図９】
2004064146.tif 000012